(57)【要約】【課題】 本発明では、ネットワークカメラを使い、物品の状態をつぶさに調査することによって、安心して購入することができるようなネットカメラオークションシステムを提案するものである。【解決手段】本発明は、カメラ装置と、サーバ装置と、複数の端末装置と、からなり、前記カメラ装置は、物品の映像情報を取得する映像情報取得部と、駆動制御信号を取得する駆動制御信号取得部と、からなり、前記サーバ装置は、映像情報を前記端末装置に対して閲覧可能とする映像情報出力部と、前記複数の端末装置からカメラ装置の駆動制御信号を取得する駆動制御信号取得部と、優先的に処理すべき駆動信号を選択する優先駆動制御信号選択部と、優先駆動制御信号を前記カメラ装置に送出する駆動制御信号送出部と、を有し、前記端末装置は、映像情報を閲覧するための閲覧部と、カメラ装置の駆動制御信号を出力する駆動制御信号出力部と、を有している。【選択図】図１
2005293018.tif 000002
【特許請求の範囲】
【請求項１】
カメラ装置と、サーバ装置と、複数の端末装置と、からなるネットカメラオークションシステムであって、
前記カメラ装置は、
所定の位置に配置される物品を撮影可能に配置され、
前記物品の映像の情報である映像情報を取得する映像情報取得部と、
自身を前記物品に対して相対的に動かすための駆動制御信号を取得する駆動制御信号取得部と、からなり、
前記サーバ装置は、
前記カメラ装置の前記映像情報取得部が取得した映像情報を前記端末装置に対して閲覧可能とする映像情報出力部と、
前記複数の端末装置から前記閲覧部で閲覧されている映像情報を取得しているカメラ装置の駆動制御信号を取得する駆動制御信号取得部と、
前記駆動制御信号取得部で取得した駆動制御信号のなかから優先的に処理すべき駆動信号である優先駆動制御信号を選択する優先駆動制御信号選択部と、
前記優先駆動制御信号選択部で選択した優先駆動制御信号を前記カメラ装置に送出する駆動制御信号送出部と、を有し、
前記端末装置は、
前記サーバ装置の前記映像情報出力部から出力される映像情報を閲覧するための閲覧部と、
前記閲覧部で閲覧している映像情報を取得しているカメラ装置の駆動制御信号を出力する駆動制御信号出力部と、
を有しているネットカメラオークションシステム。
【請求項２】
前記優先駆動制御信号選択部は、複数の駆動制御信号のなかで、もっとも早く前記駆動制御信号取得部が取得した駆動制御信号を優先駆動制御信号として選択する請求項１に記載のネットカメラオークションシステム。
【請求項３】
前記端末装置は、
ネットオークションシステム利用者を識別する情報である利用者識別情報を取得する利用者識別情報取得部を有し、
前記サーバ装置の前記駆動制御信号取得部は、
前記駆動制御信号を前記利用者識別情報と関連付けて取得する利用者識別情報付駆動制御信号取得手段を有し、
前記優先駆動信号選択部は、前記利用者識別情報付駆動制御信号をそれに関連付けられている前記利用者識別情報に基づいて前記選択をする利用者識別情報依存選択手段を有する
請求項１に記載のネットカメラオークションシステム。
【請求項４】
前記端末装置は、
駆動制御のための課金情報を入力するための課金情報入力部を有し、
前記端末装置の前記駆動制御信号出力部は、駆動制御信号と、前記課金情報入力部に入力された課金情報とを関連付けて出力するための課金情報付駆動制御信号出力手段を有し、
前記サーバ装置の前記駆動制御信号取得部は、
前記課金情報付駆動制御信号を取得する課金情報付駆動制御信号取得手段を有し、
前記優先駆動制御信号選択部は、前記課金情報付駆動制御信号の課金情報に基づいて前記選択をする課金情報依存選択手段を有する請求項１から３の何れか一に記載のネットカメラオークションシステム。
【請求項５】
前記端末装置の前記駆動制御信号出力部は、前記駆動制御信号の出力予約をするための情報である駆動制御信号出力予約情報を前記サーバ装置に対して送信する駆動制御信号出力予約情報送信手段を有し、
前記サーバ装置は、
前記端末装置の前記駆動制御信号出力予約情報を受信する駆動制御信号出力予約情報受信部を有し、
前記優先駆動信号選択部は、前記駆動制御信号出力予約情報受信部で受信した前記駆動制御信号出力予約情報に基づいて前記選択をする駆動制御信号出力予約情報依存選択手段を有する請求項１から４の何れか一に記載のネットカメラオークションシステム。
【請求項６】
さらにターンテーブル装置を有し、
前記ターンテーブル装置は、回転部と、前記回転部を制御する回転制御信号を取得する回転制御信号取得部と、からなり、
前記端末装置は、
前記閲覧部で閲覧している映像情報にかかるターンテーブル装置の回転制御信号を出力する回転制御信号出力部をさらに有し、
前記サーバ装置は、
前記端末装置から前記閲覧部で閲覧されている映像情報にかかるターンテーブル装置の回転制御信号を取得する回転制御信号取得部と、
前記回転制御信号取得部で取得した回転制御信号のなかから優先的に処理すべき駆動信号を選択する優先回転制御信号選択部と、
前記優先回転制御信号選択部で選択した優先回転制御信号を前記ターンテーブル装置に送出する回転制御信号送出部と、をさらに有する請求項１から５のいずれか一に記載のネットカメラオークションシステム。
【請求項７】
前記優先回転制御信号選択部は、複数の回転制御信号のなかで、もっとも早く前記回転制御信号取得部が取得した回転制御信号を優先回転制御信号として選択する請求項６に記載のネットカメラオークションシステム。
【請求項８】
前記端末装置は、
ネットオークションシステム利用者を識別する情報である利用者識別情報を取得する利用者識別情報取得部を有し、
前記サーバ装置の前記回転制御信号取得部は、
前記回転制御信号を前記利用者識別情報と関連付けて取得する利用者識別情報付回転制御信号取得手段を有し、
前記優先駆動信号選択部は、前記利用者識別情報付回転制御信号をそれに関連付けられている前記利用者識別情報に基づいて前記選択をする利用者識別情報依存選択手段を有する
請求項６に記載のネットカメラオークションシステム。
【請求項９】
前記端末装置は、
回転制御のための課金情報を入力するための課金情報入力部を有し、
前記端末装置の前記回転制御信号出力部は、回転制御信号と、前記課金情報入力部に入力された課金情報とを関連付けて出力するための課金情報付回転制御信号出力手段を有し、
前記サーバ装置の前記回転制御信号取得部は、
前記課金情報付回転制御信号を取得する課金情報付回転制御信号取得手段を有し、
前記優先回転制御信号選択部は、前記課金情報付回転制御信号の課金情報に基づいて前記選択をする課金情報依存選択手段を有する請求項６から８の何れか一に記載のネットカメラオークションシステム。
【請求項１０】
前記端末装置の前記回転制御信号出力部は、前記回転制御信号の出力予約をするための情報である回転制御信号出力予約情報を前記サーバ装置に対して送信する回転制御信号出力予約情報送信手段を有し、
前記サーバ装置は、
前記端末装置の前記回転制御信号出力予約情報を受信する回転制御信号出力予約情報受信部を有し、
前記優先駆動信号選択部は、前記回転制御信号出力予約情報受信部で受信した前記回転制御信号出力予約情報に基づいて前記選択をする回転制御信号出力予約情報依存選択手段を有する請求項６から９の何れか一に記載のネットカメラオークションシステム。
【発明の詳細な説明】
【技術分野】
【０００１】
本発明は、ネットワークを通じてカメラを操作したり、品物をターンテーブルにおいて、ネットワークを介して物品の画像を取得しオークションの参考にするネットカメラオークションシステムに関する。
【背景技術】
【０００２】
従来のネットワークを介してのオークションにおける物品の画像は、出品者が提供する静止画像であった。このため、詳細な画像情報を取得することは困難であった。そのために、出品者に有利な情報が提供されて、オークションシステム利用者は不利な条件で購入せざるを得なかった。
【特許文献１】特開２００４−４６６０３
【発明の開示】
【発明が解決しようとする課題】
【０００３】
しかしながら、こうしたオークションシステム利用者側の不利な状況はオークションの信頼性を損なうものであり、ネットワークを介してのオークションを通じての物品購入に関して、一般のオークションシステム利用者の気持ちを掴むには、障害になるところであった。
【０００４】
このため、本発明では、ネットワークカメラを使い、物品の状態をつぶさに調査することによって、安心して購入することができるようなネットカメラオークションシステムを提案するものである。
【課題を解決するための手段】
【０００５】
本発明は、ネットカメラオークションシステムに関する発明である。
【０００６】
発明１  カメラ装置と、サーバ装置と、複数の端末装置と、からなるネットカメラオークションシステムであって、前記カメラ装置は、所定の位置に配置される物品を撮影可能に配置され、前記物品の映像の情報である映像情報を取得する映像情報取得部と、自身を前記物品に対して相対的に動かすための駆動制御信号を取得する駆動制御信号取得部と、からなり、前記サーバ装置は、前記カメラ装置の前記映像情報取得部が取得した映像情報を前記端末装置に対して閲覧可能とする映像情報出力部と、前記複数の端末装置から前記閲覧部で閲覧されている映像情報を取得しているカメラ装置の駆動制御信号を取得する駆動制御信号取得部と、前記駆動制御信号取得部で取得した駆動制御信号のなかから優先的に処理すべき駆動信号である優先駆動制御信号を選択する優先駆動制御信号選択部と、前記優先駆動制御信号選択部で選択した優先駆動制御信号を前記カメラ装置に送出する駆動制御信号送出部と、を有し、前記端末装置は、前記サーバ装置の前記映像情報出力部から出力される映像情報を閲覧するための閲覧部と、前記閲覧部で閲覧している映像情報を取得しているカメラ装置の駆動制御信号を出力する駆動制御信号出力部と、を有しているネットカメラオークションシステム。
【０００７】
発明２  前記優先駆動制御信号選択部は、複数の駆動制御信号のなかで、もっとも早く前記駆動制御信号取得部が取得した駆動制御信号を優先駆動制御信号として選択する発明１に記載のネットカメラオークションシステム。
【０００８】
発明３  前記端末装置は、ネットオークションシステム利用者を識別する情報である利用者識別情報を取得する利用者識別情報取得部を有し、前記サーバ装置の前記駆動制御信号取得部は、前記駆動制御信号を前記利用者識別情報と関連付けて取得する利用者識別情報付駆動制御信号取得手段を有し、前記優先駆動信号選択部は、前記利用者識別情報付駆動制御信号をそれに関連付けられている前記利用者識別情報に基づいて前記選択をする利用者識別情報依存選択手段を有する発明１に記載のネットカメラオークションシステム。
【０００９】
発明４  前記端末装置は、駆動制御のための課金情報を入力するための課金情報入力部を有し、前記端末装置の前記駆動制御信号出力部は、駆動制御信号と、前記課金情報入力部に入力された課金情報とを関連付けて出力するための課金情報付駆動制御信号出力手段を有し、前記サーバ装置の前記駆動制御信号取得部は、前記課金情報付駆動制御信号を取得する課金情報付駆動制御信号取得手段を有し、前記優先駆動制御信号選択部は、前記課金情報付駆動制御信号の課金情報に基づいて前記選択をする課金情報依存選択手段を有する発明１から３の何れか一に記載のネットカメラオークションシステム。
【００１０】
発明５  前記端末装置の前記駆動制御信号出力部は、前記駆動制御信号の出力予約をするための情報である駆動制御信号出力予約情報を前記サーバ装置に対して送信する駆動制御信号出力予約情報送信部を有し、前記サーバ装置は、前記端末装置の前記駆動制御信号出力予約情報を受信する駆動制御信号出力予約情報受信部を有し、前記優先駆動信号選択部は、前記駆動制御信号出力予約情報受信部で受信した前記駆動制御信号出力予約情報に基づいて前記選択をする駆動制御信号出力予約情報依存選択手段を有する発明１から４の何れか一に記載のネットカメラオークションシステム。
【００１１】
発明６  さらにターンテーブル装置を有し、前記ターンテーブル装置は、回転部と、前記回転部を制御する回転制御信号を取得する回転制御信号取得部と、からなり、前記端末装置は、前記閲覧部で閲覧している映像情報にかかるターンテーブル装置の回転制御信号を出力する回転制御信号出力部をさらに有し、前記サーバ装置は、前記端末装置から前記閲覧部で閲覧されている映像情報にかかるターンテーブル装置の回転制御信号を取得する回転制御信号取得部と、前記回転制御信号取得部で取得した回転制御信号のなかから優先的に処理すべき駆動信号を選択する優先回転制御信号選択部と、前記優先回転制御信号選択部で選択した優先回転制御信号を前記ターンテーブル装置に送出する回転制御信号送出部と、をさらに有する発明１から５のいずれか一に記載のネットカメラオークションシステム。
【００１２】
発明７  前記優先回転制御信号選択部は、複数の回転制御信号のなかで、もっとも早く前記回転制御信号取得部が取得した回転制御信号を優先回転制御信号として選択する発明６に記載のネットカメラオークションシステム。
【００１３】
発明８  前記端末装置は、ネットオークションシステム利用者を識別する情報である利用者識別情報を取得する利用者識別情報取得部を有し、前記サーバ装置の前記回転制御信号取得部は、前記回転制御信号を前記利用者識別情報と関連付けて取得する利用者識別情報付回転制御信号取得手段を有し、前記優先駆動信号選択部は、前記利用者識別情報付回転制御信号をそれに関連付けられている前記利用者識別情報に基づいて前記選択をする利用者識別情報依存選択手段を有する発明６に記載のネットカメラオークションシステム。
【００１４】
発明９  前記端末装置は、回転制御のための課金情報を入力するための課金情報入力部を有し、前記端末装置の前記回転制御信号出力部は、回転制御信号と、前記課金情報入力部に入力された課金情報とを関連付けて出力するための課金情報付回転制御信号出力手段を有し、前記サーバ装置の前記回転制御信号取得部は、前記課金情報付回転制御信号を取得する課金情報付回転制御信号取得手段を有し、前記優先回転制御信号選択部は、前記課金情報付回転制御信号の課金情報に基づいて前記選択をする課金情報依存選択手段を有する発明６から８の何れか一に記載のネットカメラオークションシステム。
【００１５】
発明１０  前記端末装置の前記回転制御信号出力部は、前記回転制御信号の出力予約をするための情報である回転制御信号出力予約情報を前記サーバ装置に対して送信する回転制御信号出力予約情報送信部を有し、前記サーバ装置は、前記端末装置の前記回転制御信号出力予約情報を受信する回転制御信号出力予約情報受信部を有し、前記優先駆動信号選択部は、前記回転制御信号出力予約情報受信部で受信した前記回転制御信号出力予約情報に基づいて前記選択をする回転制御信号出力予約情報依存選択手段を有する発明６から９の何れか一に記載のネットカメラオークションシステム。
【発明の効果】
【００１６】
本発明の請求項１から１０の何れか一あるいは二以上に記載のネットカメラオークションシステムによれば、オークションシステム利用者が安心して物品を購入することができる、という優れた効果を奏し得る。特に、中古品をオークションの対象物品とする場合には、傷や改造などについて詳細に知ることができるために、オークションシステム利用者は間違いのない買い物をすることができる、という効果を奏する。
【発明を実施するための最良の形態】
【００１７】
以下、本発明の実施の形態を図面を参照して説明する。
【００１８】
次に、上記した実施の形態の作動を説明する。
実施形態１は、主に請求項１に関する。
実施形態２は、主に請求項２に関する。
実施形態３は、主に請求項３に関する。
実施形態４は、主に請求項４に関する。
実施形態５は、主に請求項５に関する。
実施形態６は、主に請求項６に関する。
実施形態７は、主に請求項７に関する。
実施形態８は、主に請求項８に関する。
実施形態９は、主に請求項９に関する。
実施形態１０は、主に請求項１０に関する。
【００１９】
≪実施形態１≫
【００２０】
<実施形態１の概念>
【００２１】
図１は、実施形態１の概念図を示す。
【００２２】
ネットカメラオークションシステムは、ネットワーク０１０５を通じてオークションを行うシステムであって、会場に参加できない個人または業者が、ネットワークを通じて端末装置０１０４からカメラ装置０１０２を操作することによってオークションの対象となる物品０１０１の詳細を見ることができるというシステムである。ネットカメラオークションシステムは、カメラ装置とサーバ装置０１０３と、複数の端末装置と、からなる。ネットカメラオークションシステムは、複数の端末装置からサーバ装置経由にてカメラ装置へ駆動制御信号を送信してカメラ装置を駆動させ、カメラ装置で取得された映像情報をサーバ装置経由にて端末装置にて閲覧できるようにするシステムである。このシステム最大の特徴点は、複数の端末装置から同じタイミングでカメラ装置の駆動制御信号が送信されてきた場合には、優先すべき駆動制御信号を選択してこの駆動信号に基づいてカメラ装置を駆動させることである。
【００２３】
図１は、物品ひとつに対して、一台のカメラ装置を設置する場合を示す。この図では、オークション参加者３名がそれぞれの端末装置を利用して、３台のカメラ装置を駆動できる状態を示している。各参加者は、それぞれのカメラ装置を自由に駆動できるが、複数のオークション参加者の操作が一台のカメラ装置を同時に駆動しようとする場合もある。本件発明においては、この問題を解決する。
【００２４】
図２は、ひとつの物品０２０１に複数のカメラ装置０２０２を設置する場合である。本実施形態は、物品ひとつに対して、三台のカメラ装置を設置する場合を示す。各カメラ装置は、一つの物品の多方面からの映像を取得できるように配置されている。したがって、各オークション参加者がそれぞれ一の方向から映像を視聴している場合には問題は生じない。しかし、複数のオークション参加者が一の方向から同時に映像を視聴しようとし、かつ、そのカメラ装置に対して異なる駆動を与えようとする場合には、前述と同様に矛盾する駆動操作を解決する必要が生じる。本件発明においては、この問題を解決する。
【００２５】
図３は、設置するカメラの概念図を示している。カメラは、チルト０３０１とパン０３０３、それにズーム０３０２によって、三次元的な動きを行うことができる。
【００２６】
図４と図５は、ネットオークションの流れを示す図である。まずオークションリスト０４０１から欲しい物品がある分野を探す。図では、例えば、コンピュータを選択している。次に、出店者リスト０４０２から希望する出店者を選択する。図では、Ｇ社が選択されている。次に、Ｇ社の商品リスト０４０３から欲しいものを選択する。図では、Ａ−１２５という規格のコンピュータが選択されている。次に、このコンピュータに入札するが、そのための情報が図５の商品の情報０５０１に記載されている。まず、現在の価格が記載されている。ここでは、例えば、２００００円を超える入札金額でないと、入札できない。さらに、入札の残り時間、現在の最高額入札者の名前、入札数量、入札履歴、その他の情報が記載されている。また、現在までの入札がどのような結果であったかが、入札履歴０５０２を見ればわかるようになっている。
【００２７】
図６は、オークションにおける入札から落札までの流れをシーケンス図として表現したものである。まず、オークションの主催者側は出品０６０１を行う。図６の例においては、この出品に対して、入札者Ａ０６０３、入札者Ｂ０６０４、入札者Ｃ０６０２のそれぞれが入札を行う。主催者が提示した価格からスタートし、入札者が指値を掲げて、次第に価格が上げられていくというものである。時間がきたら、また、最高価格を越える指値の提示がなければ、最高価格を提示した入札者が落札する０６０５。ネットカメラオークションシステムも図６にて説明した内容と基本的には同様であり、指値の提示が端末装置から行われるというものである。また、主催者側は、サーバ装置がこの役目を行う。
【００２８】
<実施形態１の全体構成>
【００２９】
図７は、実施形態１の機能ブロックを表す図である。
【００３０】
実施形態１は、カメラ装置０７０２と、サーバ装置０７１２と、複数の端末装置０７０５と、からなるネットカメラオークションシステム０７０１であって、前記カメラ装置は、映像情報取得部０７０３と、駆動制御信号取得部０７０４と、からなり、前記サーバ装置は、映像情報出力部０７０８と、駆動制御信号取得部０７０９と、優先駆動制御信号選択部０７１０と、駆動制御信号送出部０７１１と、を有し、前記端末装置は、閲覧部０７０６と、駆動制御信号出力部０７０７と、を有しているネットカメラオークションシステムである。
【００３１】
<実施形態１の構成の説明>
【００３２】
「カメラ装置」は、所定の位置に配置される物品を撮影可能に配置される。所定の位置とは、オークション会場において、物品が展示される場所のことである。撮影可能に配置されるとは、この物品の映像情報をカメラ装置にて取得できるような位置に配置されることを言う。例えば、このカメラ装置は、机の上に置かれていてもよく、また、天井や壁などに設置されていてもよい。また、カメラ装置は、複数台あってよい。また、複数の端末装置から、複数のカメラ装置の何れか一あるいは複数台のカメラ装置を駆動制御してもよい。
【００３３】
「カメラ装置」は、映像情報取得部と、駆動制御信号取得部と、からなる。
【００３４】
「映像情報取得部」は、前記物品の映像の情報である映像情報を取得する機能を有する。物品の映像の情報とは、オークションにかけられる物品に関しての詳細な状態がわかるような映像の情報のことを言う。物品の購入の判断をするに足る映像情報のことを言う。したがって、所定の解像度を持っている必要がある。カメラ装置は、物品についた傷や、逆に物品のテクスチャーなどが再現されるような程度の解像度を有することが望ましい。また、カメラ装置は、ズーム機能、パン機能、チルト機能を有していることが望ましい。さらに、ズームは光学系ズームであることが望ましい。また、フォーカス機能は、ネットオークションシステム利用者が見たい物品の部分にピントを合わせるために自動と手動の両者を有していることが望ましい。
【００３５】
「駆動制御信号取得部」は、自身を前記物品に対して相対的に動かすための駆動制御信号を取得する機能を有する。カメラ装置の「駆動」は、ズームと、パンと、チルトと、フォーカスと、に関する駆動である。したがって、駆動制御信号は、ズームと、パンと、チルトと、フォーカスと、が駆動制御できる信号のことを言う。「自身を前記物品に対して相対的に動かす」とは、前記物品と関係なく動かすのではないことを言う。つまり、前記物品に関する映像情報を取得するために、カメラ装置を駆動する、の意である。
【００３６】
「サーバー装置」は、映像情報出力部と、駆動制御信号取得部と、優先駆動制御信号選択部と、駆動制御信号送出部と、からなる。
【００３７】
「映像情報出力部」は、前記カメラ装置の前記映像情報取得部が取得した映像情報を前記端末装置に対して閲覧可能とする機能を有する。前記映像情報出力部は、カメラ装置の前記映像情報取得部が取得した映像情報を、サーバに蓄積しても蓄積しなくてもよい。映像情報をサーバに蓄積する場合は、たとえば、オークションシステム利用者毎に過去に閲覧した映像情報を蓄積し、別のオークションシステム利用者が物品の映像情報を見たい場合には、オークションシステム利用者を選択すれば、前記蓄積された映像情報の履歴、が閲覧できるようになっていてもよい。また、蓄積された映像情報をマーケティング情報として利用してもよい。すなわち、オークションシステム利用者の映像情報の履歴を統計処理することによって、オークションシステム利用者が物品のどのような部分に注目しているか、というようなマーケティング情報が得られる。前記映像情報出力部は、前記端末装置に対して閲覧可能とする映像情報を前記端末装置に対して出力するということである。また、映像情報出力部は、複数の端末装置の閲覧部に対して、同じ映像情報を出力する。端末装置の閲覧部は、その映像情報を閲覧するかしないかは、閲覧者が選択できるようになっていてよい。
【００３８】
「駆動制御信号取得部」は、前記複数の端末装置から前記閲覧部で閲覧されている映像情報を取得しているカメラ装置の駆動制御信号を取得する機能を有する。閲覧者は、端末装置の閲覧部の映像情報に応じて、端末装置からサーバ装置に対して、駆動制御信号を出力する。サーバ装置は、前記端末装置より出力された駆動制御信号を駆動制御信号取得部にて取得する。サーバ装置にて駆動制御信号を取得する理由は、カメラ装置が直接複数の端末装置からの駆動制御信号を同時に受け取った場合には、複数の駆動制御信号が相互に干渉するために、カメラ装置を制御することができなくなるからである。このために、サーバ装置にて優先するべき駆動制御信号を選択して、この駆動制御信号にてカメラ装置を駆動する。
【００３９】
「優先駆動制御信号選択部」は、前記駆動制御信号取得部で取得した駆動制御信号のなかから優先的に処理すべき駆動信号である優先駆動制御信号を選択する。本発明の特徴点は、サーバ装置が有する優先駆動制御信号選択部にある。優先的に処理すべき駆動信号とは、前記駆動制御信号取得部がほぼ同時に取得した駆動制御信号のうち優先的に処理すべき駆動信号のことを言う。また、駆動制御信号は、サーバ装置にその優先のルールが決められ、そのルールに従って優先駆動制御信号が選択される。例えば、一例を挙げれば、前記駆動制御信号取得部が同時に取得した複数の駆動制御信号の中からランダムにひとつを選択するという方法である。具体的には、駆動制御信号に乱数を割り当て、その中で一番小さい番号のものを優先駆動制御信号として選択するなどの方法によってよい。
【００４０】
また、優先駆動制御信号とは、優先権を持っている信号である。この優先権とは、優先的に処理される駆動制御信号である、の意であるが、さらに、この駆動制御信号は、以下の4パタンの優先権を持ちうる。なお、この優先権の考え方は、以下の４つのパタンに限定されるものではなく、さまざまな形態が考えうることは言うまでもない。
【００４１】
（パタン１）複数のオークションシステム利用者の駆動制御信号のうちひとつが優先駆動制御信号として選択された瞬間からカメラ装置を駆動している間と、カメラ装置の駆動をストップしてからの一定時間とについて優先権がある、というものである。カメラ装置の駆動をストップしてからの一定時間は、たとえば、駆動後の映像情報を閲覧する目的のために優先権を付与する時間である。この一定時間を過ぎたあとは、優先権を喪失する。
【００４２】
（パタン２）複数のオークションシステム利用者の駆動制御信号のうちひとつが優先駆動制御信号として選択された瞬間から一定時間の間は、選択された優先駆動制御信号の出力者であるオークションシステム利用者が自由にカメラ装置を駆動することができる、というものである。この場合も、一定時間を過ぎたあとは、優先権を喪失する。
【００４３】
（パタン３）操作回数により優先権を設定するというものである。すなわち、優先駆動制御信号として選択された後は、駆動制御信号を送る回数が指定回数に達し、さらに最後の優先駆動制御信号が送信され、カメラ装置のその優先駆動制御信号による駆動が終了した時点から一定時間を経たあとに、優先権を喪失するというものである。たとえば、三回まで許容されているような場合は、ズーム３０倍、パン右３０度、チルト上１０度、のように駆動制御信号が３回出力され、この最後のチルト上１０度という優先駆動制御信号に応じてカメラ装置がこの駆動を完了してから１０秒後に優先権を喪失する、というものである。
【００４４】
（パタン４）複数のオークションシステム利用者の駆動制御信号のうちひとつが優先駆動制御信号として選択された瞬間から操作を開始してから操作を中止するまでの間と、さらにその操作を中止したあと一定時間が経過後に優先権を喪失するというものである。操作が連続的に行われている間は、優先権を喪失しない。
【００４５】
また、端末装置からの駆動制御信号が、一台の端末装置からしか取得されない場合は、この端末装置からの駆動制御信号が優先駆動制御信号となる。
【００４６】
「駆動制御信号送出部」は、前記優先駆動制御信号選択部で選択した優先駆動制御信号を前記カメラ装置に送出する。サーバ装置の前記優先駆動制御信号選択部にてひとつの駆動制御信号のみが選択され、この駆動制御信号が前記カメラ装置に送出され、この信号に基づいてカメラ装置が駆動されるためにカメラ装置にて複数の駆動制御信号が相互に干渉してカメラ装置が駆動不能になることはない。
【００４７】
端末装置は、閲覧部と、駆動制御信号出力部と、からなる。
【００４８】
「閲覧部」は、前記サーバ装置の前記映像情報出力部から出力される映像情報を閲覧するための機能を有する。前記映像情報は、複数のカメラ装置の映像情報である。複数のカメラ装置の映像情報から見たい映像情報を選択してもよい。また、閲覧部では、駆動制御可能なカメラ装置がある場合には、そのカメラ装置が選択できるようになっていてもよい。閲覧部は、端末装置のモニターであってもよい。また、カメラ装置が三次元映像装置を送出する場合は、それに応じたモニターであってもよい。
【００４９】
「駆動制御信号出力部」は、前記閲覧部で閲覧している映像情報を取得しているカメラ装置の駆動制御信号を出力する機能を有する。本実施形態では、駆動制御信号出力部から出力された駆動制御信号にしたがってカメラ装置が駆動される訳ではない。複数の端末からの駆動制御信号の中から選択された優先駆動制御信号に従ってカメラ装置が駆動される。駆動制御信号出力部は、カーソルなどを使ってもよいし、専用の駆動制御信号出力用デバイスを用いてもよい。駆動制御信号を生成するものは、ズーム、パン、チルト、フォーカスなどの機能を制御できるものであれば、なんであってもよい。
【００５０】
<実施形態１の具体的機能の説明>
【００５１】
図８は、実施形態１の具体的機能を説明するための図である。
【００５２】
端末装置「００１」（０８０３）の閲覧部では、一つのカメラ装置０８０２によるノートパソコンの映像情報がモニター上に表示されている。この映像情報を、ズームで４０倍に拡大した映像を見るために、駆動制御信号出力部より駆動制御信号を、サーバ装置０８０４の駆動制御信号取得部に対して出力する。
【００５３】
サーバ装置０８０４の駆動信号制御信号取得部は、複数の端末装置からの駆動制御信号０８０５を取得している。端末装置００１からは、ズーム４０倍、端末装置００２からはチルト下２０度、端末装置００３からはズーム５倍、端末装置００４からはパン左５度、である。
【００５４】
サーバ装置の優先駆動制御信号選択部では、前記駆動制御信号取得部から取得した複数の端末装置からの前記駆動制御信号の中から優先すべき駆動制御信号０８０６を選択する。例えば、端末装置００３のズーム５倍が選択される。
【００５５】
駆動制御信号送出部は、ズーム５倍という駆動制御信号をカメラ装置の駆動制御信号取得部に送出する。
【００５６】
カメラ装置の駆動制御信号取得部は、このズーム５倍という駆動制御信号を取得し、これに従ってカメラのズームを５倍に設定する。
【００５７】
映像情報取得部では、このズーム５倍の映像情報を取得し、
サーバ装置の映像情報出力部経由にて、端末装置の閲覧部に映像情報を出力する。
【００５８】
<実施形態１の処理の流れ>
【００５９】
図９は、実施形態１の処理の流れを表す図である。
【００６０】
実施形態１のネットカメラオークションシステムの処理の流れは、端末装置Ａ０９０１にて閲覧０９０５している映像情報を取得しているカメラ装置の駆動制御信号Ａを出力する駆動制御信号Ａ出力ステップ０９０６と、端末装置Ａから前記閲覧されている映像情報を取得しているカメラ装置の駆動制御信号Ａを取得する駆動制御信号Ａ取得ステップ０９０８と、端末装置Ｂ０９０２にて閲覧０９０７している映像情報を取得しているカメラ装置の駆動制御信号Ｂを出力する駆動制御信号Ｂ出力ステップ０９０９と、端末装置Ｂから前記閲覧されている映像情報を取得しているカメラ装置の駆動制御信号Ｂを取得する駆動制御信号Ｂ取得ステップ０９１０と、前記駆動制御信号取得ステップで取得した駆動制御信号のなかから優先的に処理すべき駆動制御信号である優先駆動制御信号Ｂを選択する優先駆動制御信号選択ステップ０９１１と、前記優先駆動制御信号選択ステップで選択した優先駆動制御信号を前記カメラ装置に送出する駆動制御信号Ｂ送出ステップ０９１２と、駆動制御信号取得ステップ０９１４と、カメラ装置の前記映像情報取得ステップ０９１５にて取得した映像情報を前記端末装置に対して閲覧可能とする映像情報出力ステップ０９１３と、前記サーバ装置の前記映像情報出力ステップにて出力される映像情報を閲覧するための閲覧ステップ（０９１６、０９１７）からなる。
【００６１】
<実施形態１の効果>
【００６２】
実施形態１によれば、複数の端末から取得される駆動制御信号からひとつの駆動制御信号を選択することによって、複数の駆動制御装置の相互干渉によるカメラ装置の誤動作あるいは動作不能の状態を回避できる。その結果として、ネットワークを介ししたオークションを円滑に進めることができる。
【００６３】
≪実施形態２≫
【００６４】
<実施形態２の概念>
【００６５】
図１０と図１１は、実施形態２の概念を表す図である。
【００６６】
実施形態２は、実施形態1と同じくカメラ装置一台でひとつの物品を見るというものである。なお、ここにおいて、サーバ装置には、カメラ装置が複数台接続されており、物品もそれぞれのカメラ装置に対応して一つずつあってもよい。あるいは、一つのカメラ装置に複数の物品があってもよい。
【００６７】
図１０の概念図では、それぞれのオークションシステム利用者によって見たい部分が異なる。Ａは、このノートパソコンの全体を見たいと考える。Ｂは、キーボードの詳細を見ようとする。Ｃはドライブを見ようする。三者三様に見たいところが異なる。しかし、カメラ装置は一台しかない。このため、実施形態２では、サーバ装置がもっとも早く駆動制御信号を取得したその駆動制御信号にもとづいてカメラ装置を駆動させるというものである。
【００６８】
図１１に示すように、結局、Ａの駆動制御信号がもっとも早くサーバ装置に取得されたために、Ａの見たい画像、すなわち、ノートパソコンの全体の画像を見ることができるようにカメラ装置が駆動した。
【００６９】
<実施形態２の全体構成>
【００７０】
図１２は、実施形態２の機能ブロックを示す図である。
【００７１】
実施形態２は、実施形態１を基本として、カメラ装置１２０２と、サーバ装置１２１２と、複数の端末装置１２０５と、からなるネットカメラオークションシステム１２０１であって、前記カメラ装置は、映像情報取得部１２０３と、駆動制御信号取得部１２０４と、からなり、前記サーバ装置は、映像情報出力部１２０８と、駆動制御信号取得部１２０９と、優先駆動制御信号選択部１２１０と、駆動制御信号送出部１２１１と、を有し、前記端末装置は、閲覧部１２０５と、駆動制御信号出力部１２０７と、を有しており、特徴点は、前記優先駆動制御信号選択部は、複数の駆動制御信号のなかで、もっとも早く前記駆動制御信号取得部が取得した駆動制御信号を優先駆動制御信号として選択する点である。
【００７２】
<実施形態２の構成の説明>
【００７３】
実施形態２の映像情報取得部と、駆動制御信号取得部と、映像情報出力部と、駆動制御信号取得部と、駆動制御信号送出部と、閲覧部と、駆動制御信号出力部とに関しては、実施形態１と基本的機能は共通であるので詳細な説明は省略する。
【００７４】
実施形態２の「優先駆動制御信号選択部」は、複数の駆動制御信号のなかで、もっとも早く前記駆動制御信号取得部が取得した駆動制御信号を優先駆動制御信号として選択する機能を有する。複数の駆動制御信号とは、複数の端末装置の駆動制御信号出力部から出力された信号のことである。優先駆動制御信号選択部は、この複数の端末装置から出力された複数の駆動制御信号の中で、前記駆動制御信号取得部がもっとも早く取得した駆動制御信号を優先駆動制御信号として選択する。なお、駆動制御信号取得部が最も早く取得した駆動制御信号とは、システムとして、駆動制御信号出力部が最も早く出力した駆動制御信号を取得する、ということであってもよい。また、駆動制御信号取得部が最も早く取得した駆動制御信号とは、端末装置に駆動制御信号が入力された時点をもっての判断であってもよい。
【００７５】
<実施形態２の具体的機能の説明>
【００７６】
図１３は、実施形態２の具体的機能の説明を行うための図である。
【００７７】
実施形態２の映像情報取得部と、駆動制御信号取得部と、映像情報出力部と、駆動制御信号送出部と、閲覧部と、駆動制御信号出力部とに関しては、実施形態１と基本的機能は共通であるので詳細な説明は省略する。
【００７８】
駆動制御信号取得部は、複数の端末からの駆動制御信号１３０５を取得するが、その際に駆動制御信号を受信した順番も記録している。例えば、図１３においては、ズーム４０倍の受信順番は４番目、チルト下２０度の受信順番は３番目、ズーム５倍の受信順番は１番目、パン左５度の受信順番は２番目である。
【００７９】
優先駆動制御信号選択部は、前記受信した順番の記録の中で、もっとも早いものを優先駆動制御信号として選択する。図１３の例であれば、受信順番が１番のものはズーム５倍であるので、ズーム５倍が優先駆動制御信号１３０５として選択される。なお、本実施形態においては、受信順番はなくてもよい。最も早く取得された駆動制御信号が、どの駆動制御信号であるかがわかればよい。
【００８０】
なお、優先権の内容に関しては、実施形態１と共通である。優先権が消滅した後に、サーバ装置の駆動制御信号取得部によって最も早く駆動制御信号を取得されたオークションシステム利用者の駆動制御信号が優先駆動制御信号として選択される。
【００８１】
<実施形態２の処理の流れ>
【００８２】
図１４は実施形態２の処理の流れを表す図である。
【００８３】
実施形態２のネットカメラオークションシステムの処理の流れは、端末装置Ａ１４０１にて閲覧している映像情報を取得しているカメラ装置の駆動制御信号Ａを出力する駆動制御信号Ａ出力ステップ１４０６と、端末装置Ａから前記閲覧されている映像情報を取得しているカメラ装置の駆動制御信号Ａを取得する駆動制御信号Ａ取得ステップ１４０８と、端末装置Ｂにて閲覧している映像情報を取得しているカメラ装置の駆動制御信号Ｂを出力する駆動制御信号Ｂ出力ステップ１４０９と、端末装置Ｂから前記閲覧されている映像情報を取得しているカメラ装置の駆動制御信号Ｂを取得する駆動制御信号Ｂ取得ステップ１４１０と、前記駆動制御信号取得ステップで取得した駆動制御信号のなかで、もっとも早く前記駆動制御信号取得部が取得した駆動制御信号を優先的に処理すべき駆動制御信号である優先駆動制御信号Ａとして選択する優先駆動制御信号選択ステップ１４１１と、前記優先駆動制御信号選択ステップで選択した優先駆動制御信号を前記カメラ装置に送出する駆動制御信号Ａ送出ステップ１４１２と、カメラ装置の前記映像情報取得ステップにて取得した映像情報を前記端末装置に対して閲覧可能とする映像情報出力ステップ１４１３と、前記サーバ装置の前記映像情報出力ステップにて出力される映像情報を閲覧するための閲覧ステップ（１４１６、１４１７）からなる。
【００８４】
<実施形態２の効果>
【００８５】
実施形態２によれば、サーバ装置の駆動制御信号取得部がもっとも早く駆動制御信号を取得した駆動制御信号を優先駆動制御信号として選択するために、一定期間の間に値付けが行われるネットオークションのような場合には、余計な選択プログラムが介在しないためにシステムとしてシンプルになり、動作安定性もよくなる、という効果を奏する。
【００８６】
≪実施形態３≫
【００８７】
<実施形態３の概念>
【００８８】
図１５と図１６は、実施形態３の概念を表す図である。
【００８９】
実施形態３においては、カメラ装置の駆動において、利用者識別情報を参考にして、カメラ装置駆動の主導権をどの利用者に渡すかを判断するというものである。
【００９０】
図１５では、Ａ、Ｂ、Ｃの三人がネットカメラオークションシステムに参加している。そして、Ａは、全体を、Ｂは、キーボードを、Ｃは、ディスクドライブを、確認したいと考えてカメラ装置の駆動を行うための駆動制御信号を出力する。
【００９１】
しかし、図１６に示すように、利用者識別情報から、Ａがビッグユーザであり、優先度が１位であることから、Ａの希望する駆動がなされ、全体画像が閲覧できるようになる。
【００９２】
<実施形態３の全体構成>
【００９３】
図１７は、実施形態３の機能ブロックを表す図である。
【００９４】
実施形態３は、実施形態１を基本として、カメラ装置１７０２と、サーバ装置１７０９と、複数の端末装置１７０５と、からなるネットカメラオークションシステム１７０１であって、前記カメラ装置は、映像情報取得部１７０３と、駆動制御信号取得部１７０４と、からなり、前記サーバ装置は、映像情報出力部１７１０と、駆動制御信号取得部１７１１と、優先駆動制御信号選択部１７１３と、駆動制御信号送出部１７１５と、を有し、前記端末装置は、閲覧部１７０６と、駆動制御信号出力部１７０７と、を有しているネットカメラオークションシステムであり、特徴点は、前記端末装置は、利用者識別情報取得部１７０８を有し、前記サーバ装置の前記駆動制御信号取得部は、利用者識別情報付駆動制御信号取得手段１７１２を有し、前記優先駆動信号選択部は、利用者識別情報依存選択手段１７１４を有する点である。
【００９５】
<実施形態３の構成の説明>
【００９６】
映像情報取得部と、駆動制御信号取得部と、映像情報出力部と、駆動制御信号取得部と、優先駆動制御信号選択部と、駆動制御信号送出部と、閲覧部と、駆動制御信号出力部と、に関しては基本的機能は実施形態１と共通であるので、詳細な説明は省略する。
【００９７】
前記「端末装置」は、利用者識別情報取得部を有する。
【００９８】
「利用者識別情報取得部」は、ネットオークションシステム利用者を識別する情報である利用者識別情報を取得する機能を有する。
【００９９】
「利用者識別情報」は、ネットオークションシステムの利用者を識別する情報であり、その利用者属性情報と関連付けられるものである。この利用者属性情報の中に、駆動制御信号から優先すべき駆動制御信号を取得するための、情報が保持されている。この情報は、例えば、すべての利用者についての優先順位を示す情報である。具体的には、大量に購入する業者は、個人に比べて優先順位は高く、個人でも過去に本発明を用いて購入した物品の総購入額が高いものほど、優先順位を高くする、というものである。
【０１００】
前記「サーバ装置の前記駆動制御信号取得部」は、利用者識別情報付駆動制御信号取得手段を有する。
【０１０１】
「利用者識別情報付駆動制御信号取得手段」は、前記駆動制御信号を前記利用者識別情報と関連付けて取得する。駆動制御信号を利用者識別情報と関連付けるのは、優先すべき利用者がわかれば、優先すべき利用者識別情報から優先すべき駆動制御信号を選択できるようにするためである。
【０１０２】
前記「優先駆動信号選択部」は、利用者識別情報依存選択手段を有する。「利用者識別情報依存選択手段」は、前記利用者識別情報付駆動制御信号をそれに関連付けられている前記利用者識別情報に基づいて前記選択をする機能を有する。オークションシステム利用者のそれぞれの利用者識別情報がわかれば、どの利用者識別情報を有するオークションシステム利用者の利用者識別情報付駆動制御信号が優先すべき駆動制御信号であることがわかる、というものである。すなわち、利用者識別情報がわかれば、利用者属性情報を参照し、どの駆動制御信号を優先すべきかがわかる、ということである。
【０１０３】
どの駆動制御信号を優先すべきかの判断基準としては、たとえば、過去の購入累積額である。過去の購入累積額がもっとも高いオークションシステム利用者の駆動制御信号が優先駆動制御信号として選択される。また、この判断基準は、カメラ装置を操作した時間であってもよい。カメラ装置を操作した時間が短いオークションシステム利用者の駆動制御信号が優先駆動制御信号として選択される。これによって、オークションシステム利用者が平等に、物品の映像情報を見ることができる。
【０１０４】
<実施形態３の具体的機能の説明>
【０１０５】
図１８は、実施形態３の具体的機能を説明するための図である。
【０１０６】
映像情報取得部と、駆動制御信号取得部と、映像情報出力部と、駆動制御信号取得部と、優先駆動制御信号選択部と、駆動制御信号送出部と、閲覧部と、駆動制御信号出力部と、に関しては基本的機能は実施形態１と共通であるので、詳細な説明は省略する。
【０１０７】
端末装置１８０３を利用する利用者ＩＤが駆動制御信号取得部にて取得され、このなかでもっとも優先順位の高いものが優先駆動制御信号選択部にて選択される。優先順位１８０７がもっとも高いのが利用者ＩＤ＝００３であり、この利用者ＩＤに対応する駆動制御信号である「ズーム５倍」１８０６が、優先駆動制御信号として選択される。
【０１０８】
<実施形態３の処理の流れ>
【０１０９】
図１９は、実施形態３の処理の流れを表す図である。
【０１１０】
実施形態３のネットカメラオークションシステムの処理の流れは、端末装置Ａ１９０１にて閲覧している映像情報を取得しているオークションシステム利用者の利用者識別情報を取得する利用者識別情報取得ステップ１９０５と、駆動制御信号Ａと関連付けて出力する駆動制御信号Ａ出力ステップ１９０６と、端末装置Ａから前記閲覧されている映像情報を取得しているカメラ装置の駆動制御信号Ａとこれに関連づけられた利用者識別情報を取得する利用者識別情報付駆動制御信号Ａ取得ステップ１９０８と、端末装置Ｂにて閲覧している映像情報を取得しているオークションシステム利用者の利用者識別情報を取得する利用者識別情報取得ステップ１９０７と、駆動制御信号Ｂと関連付けて出力する駆動制御信号Ｂ出力ステップ１９０９と、端末装置Ｂから前記閲覧されている映像情報を取得しているカメラ装置の駆動制御信号Ｂとこれに関連づけられた利用者識別情報を取得する利用者識別情報駆動制御信号Ｂ取得ステップ１９１０と、前記駆動制御信号取得ステップで取得した駆動制御信号のなかで、利用者識別情報に基づいて優先的に処理すべき駆動制御信号を優先駆動制御信号Ａとして選択する利用者識別情報依存選択ステップ１９１１と、前記利用者識別情報依存選択ステップで選択した優先駆動制御信号を前記カメラ装置に送出する駆動制御信号Ａ送出ステップ１９１２と、カメラ装置の前記映像情報取得ステップにて取得した映像情報を前記端末装置に対して閲覧可能とする映像情報出力ステップ１９１３と、前記サーバ装置の前記映像情報出力ステップにて出力される映像情報を閲覧するための閲覧ステップ（１９１６、１９１７）からなる。
【０１１１】
<実施形態３の効果>
【０１１２】
実施形態３によれば、利用者識別情報に基づいて定められる優先順位に基づいてカメラ装置を駆動する優先駆動制御信号を選択される、という効果を奏する。
【０１１３】
≪実施形態４≫
【０１１４】
<実施形態４の概念>
【０１１５】
図２０と図２１は実施形態４の概念を説明するための図である。
【０１１６】
実施形態４は、カメラ駆動をするための権利をあらかじめ購入して、購入金額に応じて優先度が決まるような優先駆動制御信号選択部を有する発明である。
【０１１７】
図２０では、Ａは、カメラ駆動の権利を購入している。Ｂ、Ｃ、は購入はしていない。このために、図２１に示すように、Ａは、自分の見たい映像情報を見ることができるが、Ｂ、Ｃ、については、Ａの見たい情報と同じ情報を閲覧することができるだけである。
【０１１８】
<実施形態４の全体構成>
【０１１９】
実施形態４は、実施形態１から３の何れか一を基本として、カメラ装置２２０２と、サーバ装置２２０９と、複数の端末装置２２０５と、からなるネットカメラオークションシステムであって、前記カメラ装置は、映像情報取得部２２０３と、駆動制御信号取得部２２０４と、からなり、前記サーバ装置は、映像情報出力部２２１０と、駆動制御信号取得部２２１１と、優先駆動制御信号選択部２２１３と、駆動制御信号送出部２２１５と、を有し、前記端末装置は、閲覧部２２０６と、駆動制御信号出力部２２０７と、を有しているネットカメラオークションシステムであり、特徴点は、前記端末装置は、課金情報入力部２２０８を有し、前記端末装置の前記駆動制御信号出力部は、課金情報付駆動制御信号出力手段２２１４を有し、前記サーバ装置の前記駆動制御信号取得部は、課金情報付駆動制御信号取得手段２２１２を有し、前記優先駆動制御信号選択部は、課金情報依存選択手段２２１６を有する点である。
【０１２０】
<実施形態４の構成の説明>
【０１２１】
映像情報取得部と、駆動制御信号取得部と、映像情報出力部と、駆動制御信号取得部と、優先駆動制御信号選択部と、駆動制御信号送出部と、閲覧部と、駆動制御信号出力部と、に関しては基本的機能は実施形態１から３の何れか一と共通であるので、詳細な説明は省略する。
【０１２２】
前記端末装置は、課金情報入力部を有する。「課金情報入力部」は、駆動制御のための課金情報を入力するための機能を有する。
【０１２３】
前記端末装置の前記駆動制御信号出力部は、課金情報付駆動制御信号出力手段を有する。「課金情報付駆動制御信号出力手段」は、駆動制御信号と、前記課金情報入力部に入力された課金情報とを関連付けて出力するための機能を有する。「課金情報付き駆動制御信号」とは、課金情報と駆動制御信号とを関連づけたものである。
【０１２４】
前記サーバ装置の前記駆動制御信号取得部は、課金情報付駆動制御信号取得手段を有する。
【０１２５】
「課金情報付駆動制御信号取得手段」は、前記課金情報付駆動制御信号を取得する機能を有する。前記優先駆動制御信号選択部は、課金情報依存選択手段を有する。
【０１２６】
「課金情報依存選択手段」は、前記課金情報付駆動制御信号の課金情報に基づいて前記選択をする機能を有する。課金情報依存選択手段の選択においては、課金情報付駆動制御信号の課金情報が示す値が大きいものが優先駆動制御信号として選択される。この課金情報が示す値が等しい場合については、等しい値を有する者の駆動制御信号うちサーバ装置がもっとも早く取得したものが優先駆動制御信号として選択されてもよい。また、同じくこの課金情報が示す値が等しい場合は、等しい値を有する者の駆動制御信号のうち利用者識別番号に基づいて優先度の高いオークションシステム利用者の駆動制御信号を優先駆動制御信号として選択してもよい。さらに、別の例としては、課金情報の示す値が同一にならない、少しずつ課金情報に差のある順位の枠をあらかじめ用意し、これをオークションシステム利用者が購入することにすることにより、等しい値を有するというような事態が発生することを防ぐという方法であってもよい。
【０１２７】
なお、優先駆動制御信号を選択するにあたって、ひとつの判断基準だけでは優先駆動制御信号を選択できない場合は、実施形態２から実施形態４までにあげられた方法を複数組み合わせてもよい。この組み合わせは、３！＝６通りある。すなわち、実施形態２、実施形態３、実施形態４、の順番で判定する方法、実施形態２、実施形態４、実施形態３、の順番で判定する方法、実施形態３、実施形態２、実施形態４、の順番で判定する方法、実施形態３、実施形態４、実施形態２、の順番で判定する方法、実施形態４、実施形態２、実施形態３、の順番で判定する方法、実施形態４、実施形態３、実施形態２、の順番で判定する方法、の６通りである。
【０１２８】
<実施形態４の具体的機能の説明>
【０１２９】
図２３は、実施形態４の具体的機能を説明するための図である。
【０１３０】
映像情報取得部と、駆動制御信号取得部と、映像情報出力部と、駆動制御信号送出部と、閲覧部と、駆動制御信号出力部と、に関しては基本的機能は実施形態１と共通であるので、詳細な説明は省略する。
【０１３１】
図２３の端末装置２３０３に表示される課金情報が示す数値は、課金情報入力部から入力されたカメラ装置の駆動制御のために支払った金額の値に応じて決定される優先順位を表す値である。この値が小さいほどカメラ装置の駆動制御の優先順位が高くなる。例えば、端末装置２３０３のそれぞれの課金情報が２５、３０、５、２０、とあるがこの中で、課金情報が５の場合が優先される。
【０１３２】
駆動制御信号取得部では課金情報と、駆動制御信号が取得されたのち、これらが関連付けられている課金情報付駆動制御信号２３０５として保持され、優先駆動制御信号選択部では、課金情報の示す値が小さいほど、優先される。図中の例では、課金情報の示す値が５の場合が優先され、この課金情報に対応する「ズーム５倍」という駆動制御信号２３０５が、優先駆動制御信号として選択される。
【０１３３】
<実施形態４の処理の流れ>
【０１３４】
図２４は、実施形態４の処理の流れを表す図である。
【０１３５】
実施形態４のネットカメラオークションシステムの処理の流れは、端末装置Ａにて閲覧している映像情報を取得しているオークションシステム利用者が課金情報を入力し、駆動制御信号Ａと関連付けて出力する課金情報付駆動制御信号Ａ出力ステップ２４０６と、端末装置Ａから前記閲覧されている映像情報を取得しているカメラ装置の駆動制御信号Ａとこれに関連づけられた課金情報を取得する課金情報付駆動制御信号Ａ取得ステップ２４０８と、端末装置Ｂにて閲覧している映像情報を取得しているオークションシステム利用者が課金情報を入力し、駆動制御信号Ｂと関連付けて出力する課金情報付駆動制御信号Ｂ出力ステップ２４０９と、端末装置Ｂから前記閲覧されている映像情報を取得しているカメラ装置の駆動制御信号Ｂとこれに関連づけられた課金情報を取得する課金情報付駆動制御信号Ｂ取得ステップ２４１０と、前記駆動制御信号取得ステップで取得した駆動制御信号のなかで、課金情報に基づいて優先的に処理すべき駆動制御信号を優先駆動制御信号Ａとして選択する課金情報依存選択ステップ２４１１と、前記課金情報依存選択ステップで選択した優先駆動制御信号を前記カメラ装置に送出する駆動制御信号Ａ送出ステップ２４１２と、カメラ装置の前記映像情報取得ステップにて取得した映像情報を前記端末装置に対して閲覧可能とする映像情報出力ステップ２４１３と、前記サーバ装置の前記映像情報出力ステップにて出力される映像情報を閲覧するための閲覧ステップ（２４１６、２４１７）からなる。
【０１３６】
<実施形態４の効果>
【０１３７】
実施形態４によれば、課金情報に従って、最優先するべき駆動制御信号を選択できるようになる、という効果を奏する。
【０１３８】
≪実施形態５≫
【０１３９】
<実施形態５の概念>
【０１４０】
図２５と図２６は、実施形態５の概念を表す図である。
【０１４１】
実施形態５は、あらかじめカメラ装置を利用する時間を予約する、という発明である。
【０１４２】
図２５では、Ａはあらかじめ予約していたので、カメラ装置を自由に駆動して自由に映像情報を閲覧することができる。一方、Ｂと、Ｃと、はまだカメラ装置の予約をしていなかったので、この図中にあるように、Ｂは深夜の２時に予約を入れ、Ｃは早朝の５時に予約を入れている。
【０１４３】
図２６は、同じくＡがカメラ装置を駆動している場面が続いてる。なお、図２６のあらわすところは、Ｂと、Ｃと、は予約をしたので、閲覧をやめている、という状態である。
【０１４４】
<実施形態５の全体構成>
【０１４５】
実施形態５は、実施形態１から４の何れか一を基本として、カメラ装置２７０２と、サーバ装置２７０９と、複数の端末装置２７０５と、からなるネットカメラオークションシステム２７０１であって、前記カメラ装置は、映像情報取得部２７０３と、駆動制御信号取得部２７０４と、からなり、前記サーバ装置は、映像情報出力部２７１０と、駆動制御信号取得部２７１１と、優先駆動制御信号選択部２７１３と、駆動制御信号送出部２７１５と、を有し、前記端末装置は、閲覧部２７０６と、駆動制御信号出力部２７０７と、を有しているネットカメラオークションシステムであり、特徴点は、前記端末装置の前記駆動制御信号出力部は、駆動制御信号出力予約情報送信手段２７０８を有し、前記サーバ装置は、駆動制御信号出力予約情報受信部２７１７を有し、前記優先駆動信号選択部は、駆動制御信号出力予約情報依存選択手段２７１６を有する点である。
【０１４６】
<実施形態５の構成の説明>
【０１４７】
映像情報取得部と、駆動制御信号取得部と、映像情報出力部と、駆動制御信号取得部と、優先駆動制御信号選択部と、駆動制御信号送出部と、閲覧部と、駆動制御信号出力部と、に関しては基本的機能は実施形態１から４の何れか一と共通であるので、詳細な説明は省略する。
【０１４８】
前記端末装置の前記駆動制御信号出力部は、駆動制御信号出力予約情報送信部を有する。「駆動制御信号出力予約情報送信部」は、前記駆動制御信号の出力予約をするための情報である駆動制御信号出力予約情報を前記サーバ装置に対して送信する機能を有する。
【０１４９】
前記サーバ装置は、駆動制御信号出力予約情報受信部を有する。「駆動制御信号出力予約情報受信部」は、前記端末装置の前記駆動制御信号出力予約情報を受信する駆動制御信号出力予約情報受信部を有する。
【０１５０】
前記優先駆動信号選択部は、駆動制御信号出力予約情報依存選択手段を有する。「駆動制御信号出力予約情報依存選択手段」は、前記駆動制御信号出力予約情報受信部で受信した前記駆動制御信号出力予約情報に基づいて前記選択をする機能を有する。
【０１５１】
なお、上記において前記駆動制御信号出力予約情報が競合するような場合には、実施形態1から実施形態４の何れか一または、二以上の組み合わせを用いて前記駆動制御信号出力予約情報を選択してもよい。
【０１５２】
<実施形態５の具体的機能の説明>
図２８は、実施形態５の具体的機能を説明するための図である。
【０１５３】
映像情報取得部と、駆動制御信号取得部と、映像情報出力部と、駆動制御信号取得部と、優先駆動制御信号選択部と、駆動制御信号送出部と、閲覧部と、駆動制御信号出力部と、に関しては基本的機能は実施形態１と共通であるので、詳細な説明は省略する。
【０１５４】
駆動制御信号出力部は、前記駆動制御信号の出力予約をするための情報である駆動制御信号出力予約情報２８０５を前記サーバ装置に対して送信する。端末装置の一は、予約時間は１３時であり、他は、１７時、１０時、２０時である。この駆動制御信号出力予約情報は、駆動制御信号出力予約情報送信部からサーバ装置に対して送信される。前記サーバ装置は、端末からの予約情報である駆動制御信号出力予約情報受信部を有し、前記時間を受信する。現在時刻が、１０時１５分とすると、予約情報を１０時とした利用者が優先的にカメラ装置を駆動２８０６できる時間であり、この時間帯に予約をしていない他の端末装置からカメラ装置を駆動することはできない。この時間帯においては、いかなる駆動制御信号を出力してもカメラ装置をその信号にしたがって駆動させることができる。図２８に記載されているズーム５倍というのは、一例であり、予約している時間内であれば、ズーム４０倍でも、パン６０度でも、チルト下２０度でも、カメラ装置の駆動域の範囲内であれば、自由に駆動させることができる。
【０１５５】
<実施形態５の処理の流れ>
【０１５６】
図２９は、実施形態５の処理の流れを示している。
【０１５７】
実施形態５のネットカメラオークションシステムの処理の流れは、端末装置Ａにて閲覧している映像情報を取得しているオークションシステム利用者の予約情報である駆動制御信号出力予約情報Ａを送信する駆動制御信号出力予約情報Ａ送信ステップ２９０６と、端末装置Ａから前記閲覧されている映像情報を取得しているカメラ装置の駆動制御信号の出力を予約する情報である駆動制御信号出力予約情報Ａを取得する駆動制御信号出力予約情報Ａ受信ステップ２９０８と、端末装置Ｂにて閲覧している映像情報を取得しているオークションシステム利用者の予約情報である駆動制御信号出力予約情報Ｂを送信する駆動制御信号出力予約情報Ｂ送信ステップ２９０９と、端末装置Ｂから前記閲覧されている映像情報を取得しているカメラ装置の駆動制御信号の出力を予約する情報である駆動制御信号出力予約情報Ｂを取得する駆動制御信号出力予約情報Ｂ受信ステップ２９１０と、前記駆動制御信号出力予約情報受信ステップで取得した駆動制御信号のなかで、駆動制御信号出力予約情報に基づいて優先的に処理すべき駆動制御信号を優先駆動制御信号として選択する駆動制御信号出力予約情報依存選択ステップ２９１１と、前記駆動制御信号出力予約情報依存選択ステップで選択した優先駆動制御信号を前記カメラ装置に送出する駆動制御信号Ａ送出ステップ２９１２と、カメラ装置の前記映像情報取得ステップにて取得した映像情報を前記端末装置に対して閲覧可能とする映像情報出力ステップ２９１３と、前記サーバ装置の前記映像情報出力ステップにて出力される映像情報を閲覧するための閲覧ステップ（２９１６、２９１７）からなる。
【０１５８】
<実施形態５の効果>
【０１５９】
実施形態５によれば、あらかじめ予約を入れることによって、カメラ装置を自由に駆動させて閲覧したい映像情報を閲覧することができる、という効果を奏する。
【０１６０】
≪実施形態６≫
【０１６１】
<実施形態６の概念>
【０１６２】
図３０と図３１は、実施形態６の概念を表す図である。
【０１６３】
実施形態６は、３自由度を有するカメラ装置と、ターンテーブルを用いて物品を回転させることによって、物品に関する視覚的な情報を余すところなく見ることができる、発明である。
【０１６４】
図３０は、Ａが物品の後ろ側の部位を見ようとしている。また、Ｂはキーボードの拡大した映像情報を見ようとしており、Ｃはコンピュータの側面にあるドライブもしくは、入出力端子を見ようとしている。
【０１６５】
図３０は、Ａが出力した回転制御信号にしたがって、ターンテーブルが回転し、ノートパソコンの背面が見えている状態である。
【０１６６】
<実施形態６の全体構成>
【０１６７】
図３２は、実施形態６の機能ブロックを表す図である。
【０１６８】
実施形態６は、実施形態１から５の何れか一を基本として、さらにターンテーブル装置３２０９を有し、前記ターンテーブル装置は、回転部３２１０と、回転制御信号取得部３２１１と、からなり、前記端末装置３２０５は、回転制御信号出力部３２０８をさらに有し、前記サーバ装置３２１２は、回転制御信号取得部３２１７と、優先回転制御信号選択部３２１８と、回転制御信号送出部３２１９と、をさらに有する請求項１から５のいずれか一に記載のネットカメラオークションシステム３２０１である。
【０１６９】
<実施形態６の構成の説明>
【０１７０】
実施形態６は、実施形態１から５の何れか一に対応している。機能上の差異は、回転と駆動の違いである。
【０１７１】
ターンテーブル装置は、回転部と、回転制御信号取得部と、からなる。「回転制御信号取得部」は、前記回転部を制御する回転制御信号を取得する機能を有し、実施形態１から５の何れか一に記載の駆動制御信号取得部に対応する。
【０１７２】
前記端末装置は、回転制御信号出力部をさらに有し、「回転制御信号出力部」は、前記回転部を制御する回転制御信号を取得する機能を有しており、実施形態１から５の何れか一に記載の駆動制御信号出力部に対応する。
【０１７３】
前記サーバ装置は、回転制御信号取得部と、優先回転制御信号選択部と、回転制御信号送出部と、をさらに有する。「回転制御信号取得部」は、前記端末装置から前記閲覧部で閲覧されている映像情報にかかるターンテーブル装置の回転制御信号を取得する機能を有し、実施形態１から５の何れか一に記載の駆動制御信号取得部に対応する。
【０１７４】
「優先回転制御信号選択部」は、前記回転制御信号取得部で取得した回転制御信号のなかから優先的に処理すべき駆動信号を選択する機能を有し、実施形態１から５の何れか一に記載の優先駆動制御信号選択部に対応する。
【０１７５】
「回転制御信号送出部」は、前記優先回転制御信号選択部で選択した優先回転制御信号を前記ターンテーブル装置に送出する機能を有し、実施形態１から５の何れか一に記載の優先駆動制御信号送出部に対応する。
【０１７６】
<実施形態６の具体的機能の説明>
【０１７７】
図３３は、実施形態６の具体的機能を説明するための図である。
【０１７８】
端末装置から実施形態１から５の何れか一に記載した駆動制御信号と同じように、回転制御信号を出力する。この回転制御信号は、実施形態１から５の何れか一に記載した駆動制御信号と同じようにサーバ装置にて取得される。なお、駆動制御信号は駆動制御信号取得部にて、回転制御信号装置は回転制御信号取得部にて取得される。複数の端末装置から、回転制御信号３３０５が取得される。例えば、端末装置００１からは右２０度回転、端末装置００２からは右３０度回転、端末装置００３からは右１８０度回転、端末装置００４からは左１０度回転、などの回転制御信号が取得される。さらに、優先回転制御信号選択部においては、優先駆動制御信号選択部と同じように、複数の端末装置から取得された回転制御信号の中からひとつの信号が選択される。図３３の例においては、右１８０度が選択される。この優先回転制御信号３３０６は、回転制御信号送出部からターンテーブル装置の回転制御信号取得部にて取得され、ターンテーブルが右１８０度に回転する。（右１８０度というのは、ここでの仮の呼称であり、上から見てターンテーブルが右回りつまり時計回りに１８０度回転することを言う。）
【０１７９】
<実施形態６の処理の流れ>
【０１８０】
図３４は、実施形態６の処理の流れを表す図である。
【０１８１】
実施形態６の処理の流れは、端末装置Ａが閲覧している物品が乗っているターンテーブルの回転制御信号Ａを出力する回転制御信号Ａ出力ステップ３４０６と、前記端末装置Ａからターンテーブル装置の回転制御信号Ａを取得する回転制御信号Ａ取得ステップ３４０８と、端末装置Ｂが閲覧している物品が乗っているターンテーブルの回転制御信号Ｂを出力する回転制御信号Ｂ出力ステップ３４０９と、前記端末装置Ｂからターンテーブル装置の回転制御信号Ｂを取得する回転制御信号Ｂ取得ステップ３４１０と、前記回転制御信号取得ステップで取得した回転制御信号のなかから優先的に処理すべき回転制御信号である優先回転制御信号を選択する優先回転制御信号Ａ選択ステップ３４１１と、前記優先回転制御信号選択ステップで選択した優先回転制御信号Ａを前記ターンテーブル装置に送出する回転制御信号Ａ送出ステップ３４１２と、前記回転制御信号Ａを取得する回転制御信号Ａ取得ステップ３４１４からなる。
【０１８２】
<実施形態６の効果>
【０１８３】
実施形態６によれば、カメラ装置と、ターンテーブル装置と、の両者の装置を用いることによって、物品の詳細まで見ることができる、という効果を奏する。特に、中古物品であるような場合には、傷や不具合など視覚的に判断できるものについては、この両者のシステムを用いることによって、十分物品を吟味した上で購入することができる、という効果を奏する。
【０１８４】
実施形態７から実施形態１０に関する発明に関しては、「課題を解決するための手段」に記載している。以下では、特徴ある部位について、その対応を記載する。
【０１８５】
≪実施形態７≫
【０１８６】
<実施形態７の全体構成>
【０１８７】
実施形態７は、実施形態６を基本として、特徴点は、前記優先回転制御信号選択部は、複数の回転制御信号のなかで、もっとも早く前記回転制御信号取得部が取得した回転制御信号を優先回転制御信号として選択する点である。
【０１８８】
<実施形態７の構成の説明>
【０１８９】
優先回転制御信号選択部は、優先駆動制御信号選択部に対応する。複数の回転制御信号は、複数の駆動制御信号に対応する。優先回転制御信号は、優先駆動制御信号に対応する。
【０１９０】
≪実施形態８≫
【０１９１】
<実施形態８の全体構成>
【０１９２】
実施形態８は、実施形態６を基本として、特徴点は、前記端末装置は、ネットオークションシステム利用者を識別する情報である利用者識別情報を取得する利用者識別情報取得部を有し、前記サーバ装置の前記回転制御信号取得部は、前記回転制御信号を前記利用者識別情報と関連付けて取得する利用者識別情報付回転制御信号取得手段を有し、前記優先駆動信号選択部は、前記利用者識別情報付回転制御信号をそれに関連付けられている前記利用者識別情報に基づいて前記選択をする利用者識別情報依存選択手段を有する点である。
【０１９３】
<実施形態８の構成の説明>
【０１９４】
実施形態８の利用者識別情報取得部は、実施形態３の利用者識別情報取得部に対応する。利用者識別情報付回転制御信号取得手段は、利用者識別情報付駆動制御信号取得手段に対応する。実施形態８の利用者識別情報依存選択手段は、実施形態３の利用者識別情報依存選択手段に対応する。
【０１９５】
≪実施形態９≫
【０１９６】
<実施形態９の全体構成>
【０１９７】
実施形態９は、実施形態6から８の何れか一を基本として、特徴点は、前記端末装置は、回転制御のための課金情報を入力するための課金情報入力部を有し、前記端末装置の前記回転制御信号出力部は、回転制御信号と、前記課金情報入力部に入力された課金情報とを関連付けて出力するための課金情報付回転制御信号出力手段を有し、前記サーバ装置の前記回転制御信号取得部は、前記課金情報付回転制御信号を取得する課金情報付回転制御信号取得手段を有し、前記優先回転制御信号選択部は、前記課金情報付回転制御信号の課金情報に基づいて前記選択をする課金情報依存選択手段を有する点である。
【０１９８】
<実施形態９の構成の説明>
【０１９９】
実施形態９の課金情報入力部は、実施形態４の課金情報入力部に対応する。課金情報付回転制御信号出力手段は、課金情報付駆動制御信号出力手段に対応する。実施形態９の課金情報依存選択手段は、実施形態４の課金情報依存選択手段に対応する。
【０２００】
≪実施形態１０≫
【０２０１】
<実施形態１０の全体構成>
【０２０２】
実施形態１０は、実施形態６から９の何れか一を基本として、特徴点は、前記端末装置の前記回転制御信号出力部は、前記回転制御信号の出力予約をするための情報である回転制御信号出力予約情報を前記サーバ装置に対して送信する回転制御信号出力予約情報送信手段を有し、前記サーバ装置は、前記端末装置の前記回転制御信号出力予約情報を受信する回転制御信号出力予約情報受信部を有し、前記優先駆動信号選択部は、前記回転制御信号出力予約情報受信部で受信した前記回転制御信号出力予約情報に基づいて前記選択をする回転制御信号出力予約情報依存選択手段を有する点である。
【０２０３】
<実施形態１０の構成の説明>
【０２０４】
実施形態１０の回転制御信号出力予約情報送信部は、実施形態５の駆動制御信号出力予約情報送信部に対応する。回転制御信号出力予約情報受信部は、駆動制御信号出力予約情報受信部に対応する。実施形態１０の回転制御信号出力予約情報依存選択手段は、実施形態５の駆動制御信号出力予約情報依存選択手段に対応する。
【０２０５】
尚、本発明のネットカメラオークションシステムは、上記した実施の形態に限定されるものではなく、本発明の要旨を逸脱しない範囲内において種々変更を加え得ることは勿論である。
【図面の簡単な説明】
【０２０６】
【図１】実施形態１の概念図
【図２】実施形態１の概念図
【図３】実施形態１のカメラ装置を説明するための図
【図４】実施形態１のネットワークオークションの流れを示す図
【図５】実施形態１のネットワークオークションの流れを示す図
【図６】実施形態１のネットワークオークションの流れをあらわすシーケンス図
【図７】実施形態１の機能ブロック図
【図８】実施形態１の具体的機能を示す図
【図９】実施形態１の処理の流れを表すシーケンス図
【図１０】実施形態２の概念図
【図１１】実施形態２の概念図
【図１２】実施形態２の機能ブロック図
【図１３】実施形態２の具体的機能を示す図
【図１４】実施形態２の処理の流れをあらわすシーケンス図
【図１５】実施形態３の概念図
【図１６】実施形態３の概念図
【図１７】実施形態３の機能ブロック図
【図１８】実施形態３の具体的機能を表す図
【図１９】実施形態３の処理の流れを表すシーケンス図
【図２０】実施形態４の概念図
【図２１】実施形態４の概念図
【図２２】実施形態４の機能ブロック図
【図２３】実施形態４の具体的機能を表す図
【図２４】実施形態４の処理の流れを表すシーケンス図
【図２５】実施形態５の概念図
【図２６】実施形態５の概念図
【図２７】実施形態５の機能ブロック図
【図２８】実施形態５の具体的機能を表す図
【図２９】実施形態５の処理の流れを表すシーケンス図
【図３０】実施形態６の概念図
【図３１】実施形態６の概念図
【図３２】実施形態６の機能ブロック図
【図３３】実施形態６の具体的機能を表す図
【図３４】実施形態６の処理の流れを表すシーケンス図
【符号の説明】
【０２０７】
０７０１  ネットカメラオークションシステム
０７０２  カメラ装置
０７０３  映像情報取得部
０７０４  駆動制御信号取得部
０７０５  端末装置
０７０６  閲覧部
０７０７  駆動制御信号出力部
０７０８  映像情報出力部
０７０９  駆動制御信号取得部
０７１０  優先駆動制御信号選択部
０７１１  駆動制御信号送出部
０７１２  サーバ装置
１７０８  利用者識別情報取得部
１７１２  利用者識別情報付駆動制御信号取得手段
１７１４  利用者識別情報依存選択手段
２２０８  課金情報入力部
２２１２  課金情報付駆動制御信号取得手段
２２１４  課金情報付駆動制御信号出力手段
２２１６  課金情報依存選択手段
２７０８  駆動制御信号出力予約情報送信部
２７１６  駆動制御信号出力予約情報依存選択手段
２７１７  駆動制御信号出力予約情報受信部
３２０８  回転制御信号出力部
３２０９  ターンテーブル装置
３２１０  回転部
３２１１  回転制御信号取得部
３２１７  回転制御信号取得部
３２１８  優先回転制御信号選択部
３２１９  回転制御信号送出部
【図１】
2005293018.tif 000003
【図２】
2005293018.tif 000004
【図３】
2005293018.tif 000005
【図４】
2005293018.tif 000006
【図５】
2005293018.tif 000007
【図６】
2005293018.tif 000008
【図７】
2005293018.tif 000009
【図８】
2005293018.tif 000010
【図９】
2005293018.tif 000011
【図１０】
2005293018.tif 000012
【図１１】
2005293018.tif 000013
【図１２】
2005293018.tif 000014
【図１３】
2005293018.tif 000015
【図１４】
2005293018.tif 000016
【図１５】
2005293018.tif 000017
【図１６】
2005293018.tif 000018
【図１７】
2005293018.tif 000019
【図１８】
2005293018.tif 000020
【図１９】
2005293018.tif 000021
【図２０】
2005293018.tif 000022
【図２１】
2005293018.tif 000023
【図２２】
2005293018.tif 000024
【図２３】
2005293018.tif 000025
【図２４】
2005293018.tif 000026
【図２５】
2005293018.tif 000027
【図２６】
2005293018.tif 000028
【図２７】
2005293018.tif 000029
【図２８】
2005293018.tif 000030
【図２９】
2005293018.tif 000031
【図３０】
2005293018.tif 000032
【図３１】
2005293018.tif 000033
【図３２】
2005293018.tif 000034
【図３３】
2005293018.tif 000035
【図３４】
2005293018.tif 000036